(57)【要約】      （修正有）【課題】底部を重ね合わせなくても底部を丈夫なものとし、しかも嵩張らないものとし、また組立てた後にも簡単に折畳むことができるファイルスタンドを提供する。【解決手段】合成樹脂製とした前板１、後板２、左右側板３、４および底板５を備え、前板１、後板２の両側辺と、左右側板３、４の前後辺どうしが枢支され、底板５の両側辺と左右側板３、４の下辺どうしが枢支されて、内部に収納空間が形成されると共に、前板１の下辺に後板２側に向かって突設された支持片と、後板２の下辺部に前板１側に向かって突設された支持片２４とに、底板５の前後端が支持された組立て状態と、この組立て状態から、底板５の一側辺と左右側板３、４の一方の下辺との枢支が外され、底板５が左右側板３、４の一方へ折り畳まれると共に、この底板５が間に挟まれ、前板１、後板２、左右側板３、４が重なって扁平になった折畳み状態とになるようにしている。【選択図】図５
0003221148.tif 000002
【実用新案登録請求の範囲】
【請求項１】
それぞれ合成樹脂製とした前板（１）、後板（２）、左右側板（３、４）および底板（５）を備え、
前記前板（１）、後板（２）のそれぞれの両側辺と、前記左右側板（３、４）のそれぞれの前後辺どうしが互いに枢支され、前記底板（５）の両側辺と左右側板（３、４）のそれぞれの下辺どうしが互いに枢支されて、内部に収納空間（Ｓ）が形成されると共に、前記前板（１）の下辺に後板（２）側に向かって突設された支持片（１４）と、前記後板（２）の下辺部に前板（１）側に向かって突設された支持片（２４）とに、前記底板（５）の前後端が支持された組立て状態となり、
この組立て状態から、前記底板（５）の一側辺と前記左右側板（３、４）の一方の下辺との枢支が外され、前記底板（５）が前記左右側板（３、４）の一方へ折り畳まれると共に、この底板（５）が間に挟まれ、前記前板（１）、後板（２）、左右側板（３、４）がそれぞれ重なって扁平になった折畳み状態となるようにしていることを特徴とするファイルスタンド。
【請求項２】
前記前板（１）の支持片（１４）の外端部には、段部（１６）を設けたものとし、前記後板（２）の支持片（２４）の外端部には、段部（２６）を設けたものとし、前記底板（５）の前後端には、前記前板（１）の支持片（１４）の段部（１６）と前記後板（２）の支持片（２４）の段部（２６）とにそれぞれ係合する段部（５３）を設けたものとしていることを特徴とする請求項１記載のファイルスタンド。
【請求項３】
前記前板（１）は、両側辺上端には後板（２）側に向かってアーム（１２）を突設し、これらアーム（１２）にはそれぞれ凹部（１３）を設けており、両側辺下端間には後板（２）側に向かって支持片（１４）を突設し、この支持片（１４）の両端部にはそれぞれ凹部（１５）を設けており、
前記後板（２）は、両側辺上端には前板（１）側に向かってアーム（２２）を突設し、これらアーム（２２）にはそれぞれ凹部（２３）を設けており、両側辺下端間には前板（１）側に向かって支持片（２４）を突設し、この支持片（２４）の両端部にはそれぞれ凹部（２５）を設けており、
前記左側板（３）は、前辺上端部には上方に向かって凸部（３２）を設けており、前辺下端部には下方に向かって凸部（３３）を設けると共に、この前辺下端部には水平方向に凹部（３４）を設け、後辺上端部には上方に向かって凸部（３５）を設けており、後辺下端部には下方に向かって凸部（３６）を設けると共に、この後辺下端部には水平方向に凹部（３７）を設けており、
前記右側板（４）は、前辺上端部には上方に向かって凸部（４２）を設けており、前辺下端部には下方に向かって凸部（４３）を設けると共に、この前辺下端部には水平方向に凹部（４４）を設け、後辺上端部には上方に向かって凸部（４５）を設けており、後辺下端部には下方に向かって凸部（４６）を設けると共に、この後辺下端部には水平方向に凹部（４７）を設けており、
前記底板（５）は、両側辺にはフランジ（５１）を上方向に突設し、これらフランジ（５１）を前後端部から突出させて、底板（５）の前後両端に凸部（５２）を設けていることを特徴とする請求項１または２記載のファイルスタンド。
【考案の詳細な説明】
【技術分野】
【０００１】
この考案は、合成樹脂板を用いた組み立て式のファイルスタンドであって、折り畳み可能なファイルスタンドに関するものである。
【背景技術】
【０００２】
従来のファイルスタンドとしては、一枚のダンボール紙等のシートから構成され、後側壁の両側縁にそれぞれ折線を介して側壁を連設し、これら各側壁の下縁にそれぞれ折線を介して下底壁または上底壁のどちらかを連設したものが存在する。そして、これら下底壁と上底壁は互いに重合して固定される固定手段を備えており、両側壁を対向位置にして、上底壁を下底壁の上面に重合させると共に、固定手段により両底壁を固定するようにしている（特許文献１）。
【０００３】
このように構成されたファイルスタンドは、上底壁を下底壁の上面に重合させ固定するのみで組み立てられるので、成形および組立てが簡単に行え、作業能率が良いばかりか製作コストも低廉になし得るとしている。
【０００４】
さらに、従来のファイルスタンドとしては、硬質の薄い合成樹脂板から構成され、本体を形成する４つの側面部の下端に、それぞれ折曲可能な底部形成片が延設され、これら底部形成片が互いに接合されることにより底部が折畳み可能に形成されたものが存在する。そして、これら底部形成片は、スリットを有する２つの第一の底部形成片と、このスリットに係合しうる係止片を有する他の２つの第二の底部形成片とにより構成されている（特許文献２）。
【０００５】
このように構成されたファイルスタンドは、４つの側面部の下端にそれぞれ直角に折曲可能に延設された底部形成片が互いに組み合わされ係止されるだけで、貼着や接着工程を経ることなく底部が形成されるので、製造コストが低減されるとしている。さらに、その底部が折り畳み可能に形成されているので、搬送や保管の利便性を有するとしている。
【先行技術文献】
【特許文献】
【０００６】
【特許文献１】特開２００５−１３１０５８号公報
【特許文献２】特開２００６−１５１４３１号公報
【考案の概要】
【考案が解決しようとする課題】
【０００７】
上記従来のファイルスタンドでは、各種のファイルは勿論、カタログ、パンフレット、雑誌等を収納できるようにしているが、これら雑誌等をファイルスタンドに収納した状態では、それらの重量のほとんどが、そのファイルスタンドの底部にかかる。したがって、ファイルスタンドの底部は、側部に比べて頑丈なものにしておく必要がある。
【０００８】
そのため、特許文献１に記載された従来のファイルスタンドでは、上底壁を下底壁の上面に重合させると共に、固定手段により両底壁を固定しておくことにより、底部を側部に比べて頑丈なものにしている。
【０００９】
そして、特許文献２に記載されたものでは、２つの第一の底部形成片と２つの第二の底部形成片とを組み合わせて、係止片により係止しておくことにより、底部を側部に比べて頑丈なものにしている。
【００１０】
しかしながら、特許文献１に記載されたものでは、上底壁を下底壁の上面に重合させるには、上底壁を折り返してから下底壁を折り返す必要があり、上底壁と下底壁の順序を間違うと固定手段により固定することができず、また底部は上底壁を下底壁の二重構造になるため、側部に比べ嵩張ってしまう。さらに、上底壁と下底壁とを固定手段により固定するようにしているため、この固定するための作業に時間を要する。しかも、ファイルスタンドを組立てた後は、固定手段を外して、展開してからでないと折畳むことができない。
【００１１】
さらに、特許文献２に記載されたものでは、４つの側面部の下端に延設された底部形成片を互いに組み合わせるには、先ず、左方側面部の下端に延設された第一の底部形成片を直角に折り曲げて、最も内側に配置する。次に、前方側面部の下端に延設されたもう一つの第一の底部形成片を直角に折り曲げて、前記第一の底部形成片の外側に重ね合わせる共に、後方側面部の下端に延設された第二の底部形成片を直角に折り曲げて、同じく第一の底部形成片の外側に重ね合わせ、係止片を前記第一の底部形成片に形成されたスリットに挿入して係止している。そのため、底部形成片を互いに組み合わせるには、このような複雑な組み立て作業が必要となる。さらに、底部は、２つの第一の底部形成片と２つの第二の底部形成片との四重構造になるため、側部に比べ非常に嵩張ってしまう。また、底部は、組立てた後に展開しないでも折畳み可能であるが、四重構造になっているため、折畳んだ状態でも嵩張ってしまう。
【００１２】
そこで、この考案は、上記従来の課題を解決するものであり、底部を重ね合わせたものとしなくても底部を丈夫なものとし、しかも嵩張らないものとし、また組立てた後に展開しないでも簡単に折畳むことができるファイルスタンドを提供することを目的としてなされたものである。
【課題を解決するための手段】
【００１３】
そのため、この考案のファイルスタンドは、それぞれ合成樹脂製とした前板１、後板２、左右側板３、４および底板５を備えている。そして、この考案のファイルスタンドは、前記前板１、後板２のそれぞれの両側辺と、前記左右側板３、４のそれぞれの前後辺どうしが互いに枢支され、前記底板５の両側辺と左右側板３、４のそれぞれの下辺どうしが互いに枢支されて、内部に収納空間Ｓが形成されると共に、前記前板１の下辺に後板２側に向かって突設された支持片１４と、前記後板２の下辺部に前板１側に向かって突設された支持片２４とに、前記底板５の前後端が支持された組立て状態となるようにしている。さらに、この考案のファイルスタンドは、前記組立て状態から、前記底板５の一側辺と前記左右側板３、４の一方の下辺との枢支が外され、前記底板５が前記左右側板３、４の一方へ折り畳まれると共に、この底板５が間に挟まれ、前記前板１、後板２、左右側板３、４がそれぞれ重なって扁平になった折畳み状態となるようにしている。
【００１４】
そして、この考案のファイルスタンドにおいて、前記前板１の支持片１４の外端部には、段部１６を設けたものとし、前記後板２の支持片２４の外端部には、段部２６を設けたものとし、前記底板５の前後端には、前記前板１の支持片１４の段部１６と前記後板２の支持片２４の段部２６とにそれぞれ係合する段部５３を設けたものとしている。
【００１５】
さらに、この考案のファイルスタンドおいて、前記前板１は、両側辺上端には後板２側に向かってアーム１２を突設し、これらアーム１２にはそれぞれ凹部１３を設けており、両側辺下端間には後板２側に向かって支持片１４を突設し、この支持片１４の両端部にはそれぞれ凹部１５を設けている。前記後板２は、両側辺上端には前板１側に向かってアーム２２を突設し、これらアーム２２にはそれぞれ凹部２３を設けており、両側辺下端間には前板１側に向かって支持片２４を突設し、この支持片２４の両端部にはそれぞれ凹部２５を設けている。前記左側板３は、前辺上端部には上方に向かって凸部３２を設けており、前辺下端部には下方に向かって凸部３３を設けると共に、この前辺下端部には水平方向に凹部３４を設け、後辺上端部には上方に向かって凸部３５を設けており、後辺下端部には下方に向かって凸部３６を設けると共に、この後辺下端部には水平方向に凹部３７を設けている。前記右側板４は、前辺上端部には上方に向かって凸部４２を設けており、前辺下端部には下方に向かって凸部４３を設けると共に、この前辺下端部には水平方向に凹部４４を設け、後辺上端部には上方に向かって凸部４５を設けており、後辺下端部には下方に向かって凸部４６を設けると共に、この後辺下端部には水平方向に凹部４７を設けている。前記底板５は、両側辺にはフランジ５１を上方向に突設し、これらフランジ５１を前後端部から突出させて、底板５の前後両端に凸部５２を設けている。
【考案の効果】
【００１６】
この考案のファイルスタンドは、以上述べたような構成としているので、底部を重ね合わせたものとしなくても底部は丈夫なものとなり、しかも嵩張らないものとなるので、材料費もかからず、製作コストも低廉なものとなる。
【００１７】
さらに、この考案のファイルスタンドは、組立てた後に展開しないでも簡単に折畳み可能なものとなるため、搬送や保管に便利なものとなる。
【図面の簡単な説明】
【００１８】
【図１】この考案のファイルスタンドを前方向から見た斜視図である。
【図２】この考案のファイルスタンドを後方向から見た斜視図である。
【図３】この考案のファイルスタンドの中央縦断面図である。
【図４】（ａ）は図３に示したファイルスタンドの前板の下部近辺の円で囲んだ部分の拡大図であり、（ｂ）は図３に示したファイルスタンドの後板の下部近辺の円で囲んだ部分の拡大図である。
【図５】この考案のファイルスタンドの分解斜視図である。
【図６】図５に示したファイルスタンドの前板の斜視図である。
【図７】図５に示したファイルスタンドの後板の斜視図である。
【図８】図５に示したファイルスタンドの左側板の斜視図である。
【図９】図５に示したファイルスタンドの左側板の側面図である。
【図１０】図５に示したファイルスタンドの右側板の斜視図である。
【図１１】図５に示したファイルスタンドの右側板の側面図である。
【図１２】図５に示したファイルスタンドの底板の斜視図である。
【図１３】図５に示したファイルスタンドの底板の側面図である。
【図１４】この考案のファイルスタンドを組み立てる手順を示す説明図である。
【図１５】この考案のファイルスタンドを組み立てた状態を底方向から見た斜視図である。
【図１６】この考案のファイルスタンドを折り畳む手順１を示す説明図である。
【図１７】この考案のファイルスタンドを折り畳む手順２を示す説明図である。
【図１８】この考案のファイルスタンドを折り畳んだ状態の斜視図である。
【考案を実施するための形態】
【００１９】
以下、この考案のファイルスタンドを実施するための形態を、図面に基づいて詳細に説明する。
【００２０】
この考案のファイルスタンドは、それぞれ合成樹脂製とした前板１、後板２、左右側板３、４および底板５を備えており、内部に収納空間Ｓを有している。すなわち、図示したように、前板１と、後板２と、左右の側板３、４とで収納空間Ｓの周囲を形成し、この収納空間Ｓの下方を底板５で塞いでいる。前板１と後板２は、略四角形状にしており、前板１は後板２より低く形成されている。両側板３、４は、それぞれ略四角形の上端を斜めに切り欠いた略台形状にしており、両側板３、４の前側辺は、それぞれ前板１の両側辺と同じ長さにしており、両側板３、４の後側辺は、それぞれ後板２の両側辺と同じ長さにしている。
【００２１】
前記前板１は、収納空間Ｓの前面に位置しており、両側辺には内側リブ１１を設けたものとし、両側辺上端には後板２側に向かってアーム１２を突設し、これらアーム１２には下面から上面に向かってそれぞれ凹部１３を設けており、両側辺下端間には後板２側に向かって支持片１４を突設し、この支持片１４の両端部には上面から下面に向かってそれぞれ凹部１５を設けている。前記凹部１３は、図示したものでは、孔としているが、窪みなどとしてもよい。また、前記凹部１５は、図示したものでは、窪みとしているが、孔などとしてもよい。さらに、前記支持片１４の外端部には、後に述べる底板５の段部５３に係合する段部１６を設けたものとしている。なお、前記内側リブ１１は、前板１の両側辺を強化するためのものであり、必要に応じて設けたものとすればよい。
【００２２】
前記後板２は、収納空間Ｓの後面に位置しており、両側辺には内側リブ２１を設けたものとし、両側辺上端には前板１側に向かってアーム２２を突設し、これらアーム２２には下面から上面に向かってそれぞれ凹部２３を設けており、両側辺下端間には前板１側に向かって支持片２４を突設し、この支持片２４の両端部には上面から下面に向かってそれぞれ凹部２５を設けている。前記凹部２３は、図示したものでは、孔としているが、窪みなどとしてもよい。また、前記凹部２５は、図示したものでは、窪みとしているが、孔などとしてもよい。さらに、前記支持片２４の外端部には、後に述べる底板５の段部５３に係合する段部２５を設けたものとしている。なお、前記内側リブ２１は、前板１の両側辺を強化するためのものであり、必要に応じて設けたものとすればよい。
【００２３】
前記左側板３は、収納空間Ｓの左側面に位置しており、全周辺には内側リブ３１を設けており、前辺上端部には上方に向かって凸部３２を設けており、前辺下端部には下方に向かって凸部３３を設けると共に、この前辺下端部には水平方向に凹部３４を設けている。さらに、後辺上端部には上方に向かって凸部３５を設けており、後辺下端部には下方に向かって凸部３６を設けると共に、この後辺下端部には水平方向に凹部３７を設けている。前記凸部３２、３３、３５、３６は、図示したものでは、円柱体としているが、半球体や半円錐体などとしてもよい。また、前記凹部３４、３７は、図示したものでは、孔としているが、窪みなどとしてもよい。さらに、前記左側板３は、ほぼ全面にわたって多数の小孔３８を設けたものとし、収納空間Ｓを外方から覗けると共に、軽量化を図ったものとしている。なお、前記内側リブ３１は、左側板３の全周辺を強化するためのものであり、必要に応じて設けたものとすればよい。
【００２４】
前記右側板４は、収納空間Ｓの右側面に位置しており、全周辺には内側リブ４１を設けており、前辺上端部には上方に向かって凸部４２を設けており、前辺下端部には下方に向かって凸部４３を設けると共に、この前辺下端部には水平方向に凹部４４を設けている。さらに、後辺上端部には上方に向かって凸部４５を設けており、後辺下端部には下方に向かって凸部４６を設けると共に、この後辺下端部には水平方向に凹部４７を設けている。前記凸部４２、４３、４５、４６は、図示したものでは、円柱体としているが、半球体や半円錐体などとしてもよい。また、前記凹部４４、４７は、図示したものでは、孔としているが、窪みなどとしてもよい。さらに、前記右側板４は、ほぼ全面にわたって多数の小孔４８を設けたものとし、収納空間Ｓを外方から覗けると共に、軽量化を図ったものとしている。なお、前記内側リブ４１は、右側板４の全周辺を強化するためのものであり、必要に応じて設けたものとすればよい。
【００２５】
前記底板５は、収納空間Ｓの底面に位置しており、両側辺にはフランジ５１を上方向に突設し、これらフランジ５１を前後端部から突出させて、底板５の前後両端に凸部５２を設けている。さらに、前記底板５の前後端には、前記前板１の支持片１４の段部１６と後板２の支持片２４の段部２６とにそれぞれ係合する段部５３を設けたものとしている。
【００２６】
そして、この考案のファイルスタンドは、前記前板１、後板２のそれぞれの両側辺と、前記左右側板３、４のそれぞれの前後辺どうしが互いに枢支され、前記底板５の両側辺と左右側板３、４のそれぞれの下辺どうしが着脱可能として互いに枢支されて、内部に収納空間Ｓが形成されると共に、前記前板１の下辺に後板２側に向かって突設された支持片１４の段部１６と、前記後板２の下辺部に前板１側に向かって突設された支持片２４の段部２６とに、前記底板５の前後端の段部５３がそれぞれ係合して、この底板５の前後端が前記支持片１４と支持片２４とに支持された組立て状態となるようにしている。このようにすると、前記底板５の前後端は、がたつくことなく前記支持片１４と支持片２４とに安定した状態で支持されることになる。
【００２７】
すなわち、この考案のファイルスタンドを組み立て状態にするには、図５に示したように、前板１、後板２、左右側板３、４および底板５が分解された状態から、前板１、後板２、左右側板３、４を横にした状態で、前板１の一側辺に設けた凹部１３、１５に左側板３の前辺に設けた凸部３２、３３を枢支し、この左側板３の後辺に設けた凸部３５、３６を後板２の一側辺に設けた凹部２３、２５に枢支し、この後板２の他側辺に設けた凹部２３、２５に右側板４の後辺に設けた凸部４５、４６を枢支し、前記左側板３の下辺に設けた凹部３４、３７に、底板５を起立させた状態でその一側辺両端に設けた凸部５２を枢支すると、図１４に示したような状態となる。この場合、前記前板１の凹部１３、１５に左側板３の凸部３２、３３をそれぞれ押し付け、後板２の凹部２３、２５に、左側板３の凸部３５、３６および右側板４の凸部４５、４６をそれぞれ押し付けると、アーム１２、２２がそれぞれ弾性変形し、前記凸部３２、３３、３５、３６、４５、４６がそれぞれ前記凹部１３、１５、２３、２５に容易に枢支されることになる。
【００２８】
次に、前記前板１、後板２を起立させ、右側板４を底板５側に折り返して、この右側板４の下辺に設けた凹部４４、４７に前記底板５の他の一側辺両端に設けた凸部５２を枢支させると共に、前記右側板４の前辺に設けた凸部４２、４３を前板１の他の一側辺に設けた凹部１３、１５に枢支させれば、図１５に示したような組立て状態となり、底板５の前後端が前板１の支持片１４と後板２の支持片２４に支持された状態となる。したがって、収納空間Ｓに収納した物の重量が底板５にかかっても、この底板５が容易に底抜けしない状態となるので、ファイルスタンドの底部は丈夫なものとなる。
【００２９】
さらに、この考案のファイルスタンドは、前記組立て状態から、前記底板５の一側辺の凸部５２と前記左右側板３、４の一方の下辺の凹部３４、３７または凹部４４、４７との枢支が外され、前記底板５が前記左右側板３、４の一方へ折り畳まれると共に、この底板５が間に挟まれ、前記前板１、後板２、左右側板３、４がそれぞれ重なって扁平になった折畳み状態となるようにしている。
【００３０】
すなわち、この考案のファイルスタンドを折畳み状態にするには、前記組立て状態から、前記底板５の一側辺近くを収納空間Ｓ側に向かって押し付けて、図１６に示したように、この底板５の一側辺両端の凸部５２と、前記右側板４の下辺の凹部４４、４７との枢支を外し、図１７に示したように、前記底板５を左側板３に重なるように折り畳む。そして、前記前板１の一側辺の凹部１３、１５と右側板４の前辺の凸部４２、４３が枢支された部分を収納空間Ｓ側に向かって押し付ければ、図１８に示したように、前記底板５が間に挟まれた状態で、前記前板１、後板２、左右側板３、４がそれぞれ重なるように扁平に折り畳まれた状態になる。
【００３１】
この考案のファイルスタンドは、以上に述べたように構成されているため、底板５を重ね合わせたものとしなくても底板５の前後端が前板１の支持片１４と後板２の支持片２４に支持された状態となっているので、底部は丈夫なものとなり、また底板５も嵩張らないものとなるので、材料費もかからず、製作コストも低廉なものとなる。
【００３２】
さらに、この考案のファイルスタンドは、組立てた後に展開しないでも、前記したように前板１の一側辺と右側板４の前辺が枢支された部分を収納空間Ｓ側に向かって押し付ければ折畳み可能なものとなるため、コンパクトなものとなり、搬送や保管に便利なものとなる。
【符号の説明】
【００３３】
１  前板
２  後板
３  左側板
４  右側板
３  底板
１２  アーム
１３  凹部
１４  支持片
１５  凹部
１６  段部
２２  アーム
２３  凹部
２４  支持片
２５  凹部
２６  段部
３２  凸部
３３  凸部
３４  凹部
３５  凸部
３６  凸部
３７  凹部
４２  凸部
４３  凸部
４４  凹部
４５  凸部
４６  凸部
４７  凹部
５１  フランジ
５２  凸部
５３  段部
Ｓ  収納空間
【図１】
0003221148.tif 000003
【図２】
0003221148.tif 000004
【図３】
0003221148.tif 000005
【図４】
0003221148.tif 000006
【図５】
0003221148.tif 000007
【図６】
0003221148.tif 000008
【図７】
0003221148.tif 000009
【図８】
0003221148.tif 000010
【図９】
0003221148.tif 000011
【図１０】
0003221148.tif 000012
【図１１】
0003221148.tif 000013
【図１２】
0003221148.tif 000014
【図１３】
0003221148.tif 000015
【図１４】
0003221148.tif 000016
【図１５】
0003221148.tif 000017
【図１６】
0003221148.tif 000018
【図１７】
0003221148.tif 000019
【図１８】
0003221148.tif 000020